【手続補正書】
【提出日】平成18年9月29日(2006.9.29)
【手続補正１】
【補正対象書類名】明細書
【補正対象項目名】特許請求の範囲
【補正方法】変更
【補正の内容】
【特許請求の範囲】
【請求項１】  連続水性相を含む濃厚組成物であって、前記水性相中に、水溶性の殺有害生物剤または植物成長調節剤 を溶解して含み、及び、実質的に水不溶性の殺有害生物剤または植物成長調節剤 の固体粒子を懸濁して含み、前記固体粒子が個々にまたは複数で（ｉ）親水性親油性バランスが約１５以下のノニオン性またはアニオン性乳化剤の不存在下において、１以上の水非混和性有機溶媒を含むバリヤー層；または（ｉｉ）水非混和性有機溶媒及び親水性親油性バランスが約１５以下の１以上の乳化剤 を含むバリヤー層で密接に包囲されており、ここに濃厚組成物の殺有害生物剤または植物成長調節剤が前記水溶性殺有害生物剤または植物成長調節剤、および前記有機溶媒に殆ど溶解しない前記水不溶性殺有害生物剤または植物成長調節剤よりなることを特徴とする前記濃厚組成物。
【請求項２】  更に、粘度調整剤を水性相中に分散して含むことを特徴とする請求項１に記載の組成物。
【請求項３】  粘度調整剤が親水コロイドシリカであることを特徴とする請求項２に記載の組成物。
【請求項４】  水溶性の殺有害生物剤または植物成長調節剤が、アセフェート、アシフルオルフェン、アクロレイン、アミトロール、アシュラム、ベナゾリン、ベンタゾン、ビアラホス、ボラックス、ブロマシル、ブロモキシニル、ブトキシカルボキシム、ｓｅｃ−ブチルアミン、カルシウムポリスルフィド、カルタップ、クロラムベン、クロルメコート、クロロ酢酸、クロルホニウム、クロフェンセト、クロピラリド、クロキシホナック、硫酸銅、シアナミド、２，４−Ｄ、２，４−ＤＢ、ダラポン、ダミノジッド、ジカンバ、ジクロルプロップ、ジクロホップ、ジクロトホス、ジフェンゾコート、ジケグラック、ジクワット、エンドタール、エテホン、フェナック、フェノキサプロップ、フラムプロップ、フルアジホップ、フルオログリコフェン、フルプロパネート、ホメサフェン、ホルメタネート、ホサミン、ホセチル、グルホシネート、グリホサート、グアザチン、ハロキシホップ、シアン化水素、ヒドロキシキノリンスルフェート、イマザメタ、イマザメタベンズ、イマザモックス、イマザピック、イマザピル、イマザキン、イマゼタピル、イミノクタジン、アイオキシニル、カスガマイシン、ＭＣＰＡ、ＭＣＰＢ、メコプロプ、メピコート、塩化第二水銀、カーバム、メタミドホス、メソミル、メチルアルソン酸、メビンホス、モノクロトホス、ナバム、ナプタラム、ニコチン、ニテンピラム、ノナン酸、オメソエート、オキサミル、オキシデメトンメチル、パラコート、ホスファミドン、ピクロラム、ポリオキシンＢ、プロパモカルブ、スルファミン酸、２，３，６−ＴＢＡ、チオシクラム、トリクロルホン、トリクロロ酢酸、トリクロピル、バリダマイシン、バミドチオン、及びその農業的に許容され得る塩から選択される ことを特徴とする請求項１〜３のいずれかに記載の組成物。
【請求項５】  実質的に水不溶性の殺有害生物剤または植物成長調節剤が、アバメクチン、アクロニフェン、アクリナトリン、アミトラズ、アトラジン、アザジラクチン、アザメチホス、アジンホスメチル、アゾシクロチン、アゾキシストロビン、ベナラキシル、ベノミル、ベンスルフロンメチル、ベンスルタップ、ベンゾフェナップ、６−ベンジルアミノプリン、ビフェノックス、ビフェントリン、ビテルタノール、ブロモブチド、ブロモフェノキシム、ブロモプロピレート、ブロムコナゾール、ブプロフェジン、キャプタホール、キャプタン、カルベンダジム、キノメチオネート、クロメトキシフェン、クロルブロムロン、クロルフェナピル、クロルフェンソン、クロルフルアズロン、クロリムロンエチル、クロルニトロフェン、クロロタロニル、クロロトルロン、クロルタールジメチル、クロゾリナート、クロフェンテゼン、クロメプロップ、クマホス、シクラニリド、シフルトリン、β−シフルトリン、シペルメトリン、α−シペルメトリン、θ−シペルメトリン、シプロジニル、ダイムロン、ＤＤＴ、デルタメトリン、デスメジファム、ジアフェンチウロン、ジクロベニル、ジクロフルアニド、ジクロロフェン、ジクロメジン、ジクロラン、ジコホル、ジエトフェンカルブ、ジフルベンズロン、ジフルフェニカン、ジメフロン、ジメトモルフ、ジニコナゾール、ジニトラミン、ジチアノン、ジウロン、エンドスルファン、エポキシコナゾール、エスフェンバレレート、エタメトスルフロンメチル、エトキサゾール、ファモキサドン、フェナリモル、フェナザキン、フェンブコナゾール、酸化フェンブタチン、フェンフラム、フェノキサプロップエチル、フェノキシカルブ、フェンピクロニル、フェンピロキシメート、フェンチン、フィプロニル、フラムプロップメチル、フラザスルフロン、フルアジナム、フルアズロン、フルシクロクスロン、フルジオキソニル、フルフェノクスロン、フルメトラリン、フルメツラム、フルミクロラックペンチル、フルミオキサジン、フルオロイミド、フルポキサム、フルキンコナゾール、フルリドン、フルルタモン、フルスルファミド、フルトラニル、ホルペット、ホルクロルフェニュロン、ハロフェノジド、γ−ＨＣＨ、ヘキサクロロベンゼン、ヘキサコナゾール、ヘキサフルムロン、ヘキシチアゾクス、ヒドラメチルノン、イミベンコナゾール、イナベンフィド、イポコナゾール、イプロジオン、イソプロツロン、イソキサベン、イソキサピリホップ、クレソキシムメチル、ラクトフェン、レナシル、リニュロン、ルフェヌロン、マンゼブ、マンネブ、メフェナセット、メパニピリム、メプロニル、メトコナゾール、メタベンズチアズロン、メチオカルブ、メトキシクロル、メチラム、メトベンズロン、ミルベメクチン、２−（１−ナフチル）アセトアミド、ナプロアニリド、ネブロン、ニッケルビス（ジメチルジチオカルバメート）、ノルフルラゾン、ノバルロン、ヌアリモル、オリザリン、オキサジアゾン、オキシン銅、オキソリン酸、オキシフルオルフェン、パクロブトラゾール、ペンシクロン、ペンタクロロフェノール、フェンメディファム、Ｎ−フェニルフタルアミド酸、フタリド、プロシミドン、プロジアミン、プロメトリン、プロパジン、プロピネブ、プロピザミド、ピ��ゾリネート、ピラゾスルフロンエチル、ピリブチカルブ、ピリダベン、キンクロラック、キントゼン、キザロホップエチル、レスメトリン、リムスルフロン、ロテノン、シデュロン、シマジン、スルフルラミド、硫黄、テブコナゾール、テブフェノジド、テブフェンピラド、テブピリムホス、テクロフタラム、テクナゼン、テフルベンズロン、テルブチラジン、テルブトリン、テトラクロルビンホス、テトラジホン、テトラメトリン、チアゾピル、チジアズロン、チフルザミド、チオジカルブ、チオフェネートメチル、チラム、トルクロホスメチル、トリルフルアニド、トラコキシジム、トラロメトリン、トリアジメホン、トリアジメノール、トリアゾキシド、トリエタジン、トリフルムロン、トリホリン、トリメタカルブ、トリチコナゾール、ウニコナゾール、ビンクロゾリン、ジネブ及びジラムから選択される ことを特徴とする請求項１〜４のいずれかに記載の組成物。
【請求項６】  実質的に水不溶性の殺有害生物剤または植物成長調節剤が、約７５℃以上の融点を有することを特徴とする請求項１〜５のいずれかに記載の組成物。
【請求項７】  水溶性殺有害生物剤または植物成長調節剤がグリホサートの農業的に許容される水溶性塩であって実質的に水不溶性の殺有害生物剤または植物成長調節剤がフルミオキサジンであり、フルミオキサジンの前記固体粒子は個々にまたは複数で親水性親油性バランスが１５以下のノニオン性またはアニオン性乳化剤の不存在下において、１以上の水混和性有機溶媒を含むバリヤー層で密接に包囲されたことを特徴とする請求項３記載の組成物。
【請求項８】  水溶性殺有害生物剤または植物成長調節剤がグリホサートの農業的に許容され得る水溶性塩であり、実質的に水不溶性の殺有害生物剤または植物成長調節剤がフルミオキサジンであり、前記フルミオキサジンの固体粒子は個々にまたは複数で水非混和性有機溶媒及び親水性親油性バランスが約１５以下の乳化剤を含んでなるバリヤー層で密接に包囲されていることを特徴とする請求項３記載の組成物。
【請求項９】  バリヤー層が、フェニルキシリルエタン及び親水性親油性バランスが約１１以下のアニオン性またはノニオン性乳化剤を含んでなることを特徴とする請求項８に記載の組成物。
【請求項１０】  有機溶媒のみを欠く以外は同一の組成物と比較して固体粒子の沈降に対して高い耐性を示すことを特徴とする請求項７または８に記載の組成物。
【請求項１１】  バリヤー層のみを欠く以外は同一の組成物と比較してフルミオキサジンの化学分解に対して高い耐性を示すことを特徴とする請求項７または８に記載の組成物。